(57)【要約】【課題】遊技者が保有する持玉を容易に他の遊技者と共有させるとともに、遊技者に対するサービスの向上や遊技台の稼働率を上げることができること。【解決手段】各台装置が、保有遊技媒体数を分割する分割指示を受け付け、各台装置が取り扱う記録媒体に記録された記録情報を読み取り、読み取られた記録情報と所定の分割遊技媒体数とを対応付けるとともに保有遊技媒体数から分割遊技媒体数を減算し、分割指示を受けた場合に、読み取られた記録情報と分割遊技媒体数とを対応付けて管理装置へ送信し、管理装置は、送信された記録情報と分割遊技媒体数とを対応付けた情報を保有遊技媒体分割情報として記憶するように構成する。【選択図】図２
2010227556.tif 000002
【特許請求の範囲】
【請求項１】
遊技台ごとに設けられるとともに、遊技媒体計数手段を有する各台装置を含み、前記遊技媒体計数手段によって計数された遊技媒体数を保有遊技媒体数として管理する各台計数システムであって、
前記各台装置は、
前記保有遊技媒体数を分割する分割指示を受け付ける分割指示受付手段と、
前記各台装置が取り扱う記録媒体に記録された記録情報を読み取る記録情報読み取り手段と、
前記記録情報読み取り手段によって読み取られた前記記録情報と所定の分割遊技媒体数とを対応付けるとともに前記保有遊技媒体数から前記分割遊技媒体数を減算する保有遊技媒体分割手段と
を備えたことを特徴とする各台計数システム。
【請求項２】
前記各台装置は、
前記保有遊技媒体数を記憶する記憶手段と、
前記保有遊技媒体分割手段によって前記保有遊技媒体数から前記分割遊技媒体数を減算した減算遊技媒体数を前記記録媒体に記録する記録情報記録手段と
をさらに備えたことを特徴とする請求項１に記載の各台計数システム。
【請求項３】
前記各台装置と通信可能に設けられる、保有遊技媒体数を管理する管理装置
をさらに備え、
前記各台装置は、
前記分割指示受付手段によって前記分割指示を受けた場合に、前記記録情報読み取り手段によって読み取られた前記記録情報と前記分割遊技媒体数とを対応付けて前記管理装置へ送信する送信手段
をさらに備え、
前記管理装置は、
前記送信手段によって送信された前記記録情報と前記分割遊技媒体数とを対応付けた情報を保有遊技媒体分割情報として記憶する保有遊技媒体分割情報記憶手段
を備えたことを特徴とする請求項１または２に記載の各台計数システム。
【請求項４】
前記記録情報読み取り手段は、
遊技者によって携帯される携帯端末の記録情報を読み取り、
前記保有遊技媒体分割手段は、
前記携帯端末の記録情報と前記分割遊技媒体数とを対応付けることを特徴とする請求項１〜３のいずれか一つに記載の各台計数システム。
【請求項５】
前記記録情報読み取り手段は、
前記各台装置が取り扱う遊技用記録媒体の記録情報を読み取り、
前記保有遊技媒体分割手段は、
前記遊技用記録媒体の記録情報と前記分割遊技媒体数とを対応付けることを特徴とする請求項１〜３のいずれか一つに記載の各台計数システム。
【請求項６】
前記分割指示受付手段は、
前記各台装置に設けられた操作手段からの分割指示または遊技店の従業員によって携帯される携帯端末装置から伝送される分割指示を受け付けることを特徴とする請求項１〜５のいずれか一つに記載の各台計数システム。
【請求項７】
前記各台装置は、
前記各台装置に設けられた操作キーによって指定された前記分割遊技媒体数または前記携帯端末装置から伝送される前記分割遊技媒体数を受け付ける分割遊技媒体数受付手段
をさらに備えたことを特徴とする請求項１〜６のいずれか一つに記載の各台計数システム。
【請求項８】
前記各台装置は、
前記記録情報読み取り手段によって読み取られた前記記録情報および前記各台装置の記録情報を前記管理装置へ送信することによって前記保有遊技媒体数の問合せを行う保有遊技媒体数問合せ手段
をさらに備え、
前記管理装置は、
前記各台装置が前記保有遊技媒体数を計数した際に、前記各台装置の記録情報と前記保有遊技媒体数とを対応付けた情報を保有遊技媒体管理情報として記憶する保有遊技媒体管理情報記憶手段と、
前記保有遊技媒体数問合せ手段によって前記保有遊技媒体数の問合せが行われた際に、受信した前記記録媒体の記録情報が前記保有遊技媒体分割情報に存在するか否かを検索し、前記保有遊技媒体分割情報に当該記録情報が存在した場合に、当該記録情報に対応付けられた前記保有遊技媒体分割情報の前記分割遊技媒体数を前記保有遊技媒体数としたうえで、当該保有遊技媒体数と受信した前記各台装置の記録情報とを対応付けて前記保有遊技媒体管理情報へ移行する分割遊技媒体数移行手段と、
前記保有遊技媒体数問合せ手段によって前記保有遊技媒体数の問合せが行われた際に、前記分割遊技媒体数移行手段によって移行された前記保有遊技媒体管理情報の保有遊技媒体数を前記各台装置に通知する保有遊技媒体数通知手段と
をさらに備えたことを特徴とする請求項３〜７のいずれか一つに記載の各台計数システム。
【請求項９】
遊技台ごとに設けられるとともに、遊技媒体計数工程を有する各台装置を含み、前記遊技媒体計数工程によって計数された遊技媒体数を保有遊技媒体数として管理する各台計数方法であって、
前記各台装置は、
前記保有遊技媒体数を分割する分割指示を前記各台装置が受け付ける分割指示受付工程と、
前記各台装置が取り扱う記録媒体に記録された記録情報を前記各台装置が読み取る記録情報読み取り工程と、
前記記録情報読み取り工程によって読み取られた前記記録情報と所定の分割遊技媒体数とを対応付けるとともに前記保有遊技媒体数から前記分割遊技媒体数を前記各台装置が減算する保有遊技媒体分割工程と
を含んだことを特徴とする各台計数方法。
【請求項１０】
遊技台ごとに設けられる各台装置であって、
前記各台装置に対して遊技者が獲得した遊技媒体の数値を遊技媒体の払出を行うことができる保有遊技媒体数として前記保有遊技媒体数を分割する分割指示を受け付ける分割指示受付手段と、
前記各台装置が取り扱う記録媒体に記録された記録情報を読み取る記録情報読み取り手段と、
前記記録情報読み取り手段によって読み取られた記録情報と所定の分割遊技媒体数とを対応付けるとともに前記保有遊技媒体数から前記分割遊技媒体数を減算する保有遊技媒体分割手段と、
前記分割指示受付手段によって前記分割指示を受けた場合に、前記記録情報読み取り手段によって読み取られた記録情報と所定の前記分割遊技媒体数とを対応付けて送信する送信手段と
を備えたことを特徴とする各台装置。
【請求項１１】
遊技媒体数を遊技媒体口座として管理する遊技システムであって、
前記遊技媒体口座の前記遊技媒体数を分割する分割指示を受け付ける分割指示受付手段と、
遊技店に設けられる遊技媒体貸出装置が取り扱う記録媒体に記録された記録情報を読み取る記録情報読み取り手段と、
前記記録情報読み取り手段によって読み取られた前記記録情報と所定の分割遊技媒体数とを対応付けるとともに前記遊技媒体口座から前記分割遊技媒体数を減算する遊技媒体口座分割手段と
を備えたことを特徴とする遊技システム。
【請求項１２】
遊技媒体数を遊技媒体口座として管理する遊技方法であって、
前記遊技媒体口座の前記遊技媒体数を分割する分割指示を受け付ける分割指示受付工程と、
遊技店に設けられる遊技媒体貸出装置が取り扱う記録媒体に記録された記録情報を読み取る記録情報読み取り工程と、
前記記録情報読み取り工程によって読み取られた前記記録情報と所定の分割遊技媒体数とを対応付けるとともに前記遊技媒体口座から前記分割遊技媒体数を減算する遊技媒体口座分割工程と
を含んだことを特徴とする遊技方法。
【発明の詳細な説明】
【技術分野】
【０００１】
この発明は、遊技台ごとに設けられる台間装置と台間装置を管理する管理装置とで台間装置が計数した持玉数を管理する各台計数システム、各台計数方法および台間装置に関し、特に、各台計数方式を採用した場合に、遊技者が保有する持玉を容易に他の遊技者と共有させるとともに、遊技者に対するサービスの向上や遊技台の稼働率を上げることができる各台計数システム、各台計数方法、台間装置および遊技方法に関するものである。
【背景技術】
【０００２】
従来から、パチンコ店等の遊技店に設置されるパチンコ機やパチスロ機といった遊技台と並設され、遊技者により挿入された各種紙幣やプリペイド価値が関連付けられたりしたカードを用いてパチンコ玉やメダルといった遊技媒体を払出す払出処理機（以下、「台間装置」と記載する）が知られている。
【０００３】
また、遊技台において遊技者が獲得した遊技媒体（以下、「持玉」と記載する）の数量を各台間装置と接続された玉計数部が計数する、いわゆる各台計数方式も知られてきた（たとえば、特許文献１参照）。
【０００４】
かかる各台計数方式を用いた場合、遊技者は、自己の持玉がある場合には、玉計数部が計数した持玉数に基づいて遊技（持玉遊技）が可能となる。ここで、持玉遊技では、持玉数から減算しつつ遊技媒体を貸し出す「持玉」払出が行われる。
【先行技術文献】
【特許文献】
【０００５】
【特許文献１】特開２００７−２２９１１１号公報
【発明の概要】
【発明が解決しようとする課題】
【０００６】
しかしながら、上記した従来技術では、獲得した持玉を玉計数部が計数を行った後、持玉数として保持／管理することで、遊技台の下皿や玉箱内に持玉自体（現物）を保持しない。そのため、遊技者間での持玉の受け渡しを容易に行うことができないという問題があった。
【０００７】
具体的には、持玉を獲得した遊技者が、獲得した持玉を他の遊技者に受け渡す場合、「持玉」払出操作を行うことになるが、１回の払出操作で排出される持玉数は少量であることから、複数回払出操作を行う必要がある。
【０００８】
たとえば、３０００玉の持玉を有する遊技者がそのうち１０００玉を他の遊技者に受け渡そうとした際、１回の払出操作で排出される持玉数が１２５玉である場合、８回払出操作を行わなくてはならないため、利便性が低下する。
【０００９】
また、各台間装置では、ＩＣ（Integrated  Circuit）カード等の情報記憶が可能なカードに対して持玉価値を関連付けており、カード返却操作を行った場合、持玉価値が関連付けられたカードが発行／排出される。
【００１０】
そこで、持玉を獲得した遊技者が、カード返却操作を行った場合、獲得した全ての持玉価値（上述の例では３０００玉）が関連付けられたカードが排出されるため、他の遊技者に該カードを受け渡してしまうと、持玉を獲得した遊技者は、その後、持玉遊技ができないという問題があった。
【００１１】
これらのことから、遊技者が保有する持玉を容易に他の遊技者と共有させるとともに、遊技者に対するサービスの向上や遊技台の稼働率を上げることができる各台計数システム、各台計数方法および台間装置をいかにして実現するかが大きな課題となっている。
【００１２】
この発明は、上述した従来技術による問題点を解消するためになされたものであって、遊技者が保有する持玉を容易に他の遊技者と共有させるとともに、遊技者に対するサービスの向上や遊技台の稼働率を上げることができる各台計数システム、各台計数方法および台間装置を提供することを目的とする。
【課題を解決するための手段】
【００１３】
上述した課題を解決し、目的を達成するため、請求項１に係る発明は、遊技台ごとに設けられるとともに、遊技媒体計数手段を有する各台装置を含み、前記遊技媒体計数手段によって計数された遊技媒体数を保有遊技媒体数として管理する各台計数システムであって、前記各台装置は、前記保有遊技媒体数を分割する分割指示を受け付ける分割指示受付手段と、前記各台装置が取り扱う記録媒体に記録された記録情報を読み取る記録情報読み取り手段と、前記記録情報読み取り手段によって読み取られた前記記録情報と所定の分割遊技媒体数とを対応付けるとともに前記保有遊技媒体数から前記分割遊技媒体数を減算する保有遊技媒体分割手段とを備えたことを特徴とする。
【００１４】
また、請求項２に係る発明は、上記の発明において、前記各台装置は、前記保有遊技媒体数を記憶する記憶手段と、前記保有遊技媒体分割手段によって前記保有遊技媒体数から前記分割遊技媒体数を減算した減算遊技媒体数を前記記録媒体に記録する記録情報記録手段とをさらに備えたことを特徴とする。
【００１５】
また、請求項３に係る発明は、上記の発明において、前記各台装置と通信可能に設けられる、保有遊技媒体数を管理する管理装置をさらに備え、前記各台装置は、前記分割指示受付手段によって前記分割指示を受けた場合に、前記記録情報読み取り手段によって読み取られた前記記録情報と前記分割遊技媒体数とを対応付けて前記管理装置へ送信する送信手段をさらに備え、前記管理装置は、前記送信手段によって送信された前記記録情報と前記分割遊技媒体数とを対応付けた情報を保有遊技媒体分割情報として記憶する保有遊技媒体分割情報記憶手段を備えたことを特徴とする。
【００１６】
また、請求項４に係る発明は、上記の発明において、前記記録情報読み取り手段は、遊技者によって携帯される携帯端末の記録情報を読み取り、前記保有遊技媒体分割手段は、前記携帯端末の記録情報と前記分割遊技媒体数とを対応付けることを特徴とする。
【００１７】
また、請求項５に係る発明は、上記の発明において、前記記録情報読み取り手段は、前記各台装置が取り扱う遊技用記録媒体の記録情報を読み取り、前記保有遊技媒体分割手段は、前記遊技用記録媒体の記録情報と前記分割遊技媒体数とを対応付けることを特徴とする。
【００１８】
また、請求項６に係る発明は、上記の発明において、前記分割指示受付手段は、前記各台装置に設けられた操作手段からの分割指示または遊技店の従業員によって携帯される携帯端末装置から伝送される分割指示を受け付けることを特徴とする。
【００１９】
また、請求項７に係る発明は、上記の発明において、前記各台装置は、前記各台装置に設けられた操作キーによって指定された前記分割遊技媒体数または前記携帯端末装置から伝送される前記分割遊技媒体数を受け付ける分割遊技媒体数受付手段をさらに備えたことを特徴とする。
【００２０】
また、請求項８に係る発明は、上記の発明において、前記各台装置は、前記記録情報読み取り手段によって読み取られた前記記録情報および前記各台装置の記録情報を前記管理装置へ送信することによって前記保有遊技媒体数の問合せを行う保有遊技媒体数問合せ手段をさらに備え、前記管理装置は、前記各台装置が前記保有遊技媒体数を計数した際に、前記各台装置の記録情報と前記保有遊技媒体数とを対応付けた情報を保有遊技媒体管理情報として記憶する保有遊技媒体管理情報記憶手段と、前記保有遊技媒体数問合せ手段によって前記保有遊技媒体数の問合せが行われた際に、受信した前記記録媒体の記録情報が前記保有遊技媒体分割情報に存在するか否かを検索し、前記保有遊技媒体分割情報に当該記録情報が存在した場合に、当該記録情報に対応付けられた前記保有遊技媒体分割情報の前記分割遊技媒体数を前記保有遊技媒体数としたうえで、当該保有遊技媒体数と受信した前記各台装置の記録情報とを対応付けて前記保有遊技媒体管理情報へ移行する分割遊技媒体数移行手段と、前記保有遊技媒体数問合せ手段によって前記保有遊技媒体数の問合せが行われた際に、前記分割遊技媒体数移行手段によって移行された前記保有遊技媒体管理情報の保有遊技媒体数を前記各台装置に通知する保有遊技媒体数通知手段とをさらに備えたことを特徴とする。
【００２１】
また、請求項１１に係る発明は、遊技媒体数を遊技媒体口座として管理する遊技システムであって、前記遊技媒体口座の前記遊技媒体数を分割する分割指示を受け付ける分割指示受付手段と、遊技店に設けられる遊技媒体貸出装置が取り扱う記録媒体に記録された記録情報を読み取る記録情報読み取り手段と、前記記録情報読み取り手段によって読み取られた前記記録情報と所定の分割遊技媒体数とを対応付けるとともに前記遊技媒体口座から前記分割遊技媒体数を減算する遊技媒体口座分割手段とを備えたことを特徴とする。
【発明の効果】
【００２２】
請求項１の発明によれば、各台装置が、保有遊技媒体数を分割する分割指示を受け付け、各台装置が取り扱う記録媒体に記録された記録情報を読み取り、読み取られた記録情報と所定の分割遊技媒体数とを対応付けるとともに保有遊技媒体数から分割遊技媒体数を減算することとしたので、遊技者が保有する持玉を容易に他の遊技者と共有することができるという効果を奏する。
【００２３】
また、請求項２の発明によれば、各台装置が、保有遊技媒体数を記憶して、保有遊技媒体数から分割遊技媒体数を減算した減算遊技媒体数を記録媒体に記録することとしたので、遊技者が保有する持玉を容易に他の遊技者と共有させることができるという効果を奏する。
【００２４】
また、請求項３の発明によれば、各台装置が、分割指示を受けた場合に、記録情報読み取り手によって読み取られた記録情報と分割遊技媒体数とを対応付けて管理装置へ各台装置が送信し、各台装置と通信可能に設けられる、保有遊技媒体数を管理する管理装置が、受信した記録情報と分割遊技媒体数とを対応付けた情報を保有遊技媒体分割情報として記憶することとしたので、各台装置での処理負荷を軽減することができるという効果を奏する。
【００２５】
また、請求項４の発明によれば、各台装置が、遊技者によって携帯される携帯端末の記録情報を読み取り、携帯端末の記録情報と分割遊技媒体数とを対応付けることとしたので、遊技者が保有する持玉を誰もが所有する携帯端末を利用することで容易に他の遊技者と共有することができるという効果を奏する。
【００２６】
また、請求項５の発明によれば、各台装置が、各台装置が取り扱う遊技用記録媒体の記録情報を読み取り、遊技用記録媒体の記録情報と分割遊技媒体数とを対応付けることとしたので、遊技者が保有する持玉を、従来の遊技者に対するサービスを変えることなく容易に他の遊技者と共有することができるという効果を奏する。
【００２７】
また、請求項６の発明によれば、各台装置が、各台装置からの分割指示または遊技店の従業員によって携帯される携帯端末装置から伝送される分割指示を受け付けることとしたので、遊技者が保有する持玉を、遊技者に対するサービスを低下させることなく容易に他の遊技者と共有することができるという効果を奏する。
【００２８】
また、請求項７の発明によれば、各台装置が、各台装置に設けられた操作キーによって指定された分割遊技媒体数または携帯端末装置から伝送される分割遊技媒体数を受け付けることとしたので、遊技者が保有する持玉を、他の遊技者と共有する際に、遊技者の自由度を持たせるようにすることで遊技者に対するサービスの向上を図ることができるという効果を奏する。
【００２９】
また、請求項８の発明によれば、各台装置が、記録情報および各台装置の記録情報を管理装置へ送信することによって保有遊技媒体数の問合せを行い、管理装置が、各台装置が保有遊技媒体数を計数した際に、各台装置の記録情報と保有遊技媒体数とを対応付けた情報を保有遊技媒体管理情報として記憶し、保有遊技媒体数の問合せが行われた際に、受信した記録媒体の記録情報が保有遊技媒体分割情報に存在するか否かを検索し、保有遊技媒体分割情報に当該記録情報が存在した場合に、当該記録情報に対応付けられた保有遊技媒体分割情報の分割遊技媒体数を保有遊技媒体数としたうえで、当該保有遊技媒体数と受信した各台装置の記録情報とを対応付けて保有遊技媒体管理情報へ移行し、保有遊技媒体数の問合せが行われた際に、移行された保有遊技媒体管理情報の保有遊技媒体数を各台装置に通知することとしたので、遊技者が保有する持玉を容易に他の遊技者と共有させるとともに、遊技台の稼働率を上げることができるという効果を奏する。
【００３０】
また、請求項１１の発明によれば、遊技店に設けられる遊技媒体貸出装置が、遊技媒体口座の遊技媒体数を分割する分割指示を受け付け、遊技媒体貸出装置が取り扱う記録媒体に記録された記録情報を読み取り、読み取られた記録情報と所定の分割遊技媒体数とを対応付けるとともに遊技媒体口座から分割遊技媒体数を減算することとしたので、貯玉の払出を行ったり、遊技媒体を持ち運ぶことなく、容易に他の遊技者と共有することができるという効果を奏する。
【図面の簡単な説明】
【００３１】
【図１】図１は、本発明に係る持玉分割の概要を示す図である。
【図２】図２は、実施例１に係る各台計数システムの構成を示すブロック図である。
【図３】図３は、台間装置の外観図である。
【図４】図４は、実施例１にかかる店内システムのシステム構成図である。
【図５】図５は、持玉分割情報の一例を示す図である。
【図６】図６は、持玉管理情報の一例を示す図である。
【図７】図７は、実施例１にかかる持玉分割処理手順を示すシーケンス図である。
【図８】図８は、実施例１にかかる問合せ処理手順を示すシーケンス図である。
【図９】図９は、返却予定情報の一例を示す図である。
【図１０】図１０は、持玉管理情報の一例を示す図である。
【図１１】図１１は、実施例２に係る各台計数システムの構成を示すブロック図である。
【図１２】図１２は、持玉分割情報の一例を示す図である。
【図１３】図１３は、実施例２にかかる持玉分割処理手順を示すシーケンス図である。
【図１４】図１４は、実施例２にかかる問合せ処理手順を示すシーケンス図である。
【図１５】図１５は、貯玉管理情報の一例を示す図である。
【図１６】図１６は、実施例３にかかる貯玉分割処理手順その１を示すシーケンス図である。
【図１７】図１７は、実施例３にかかる貯玉分割処理手順その２を示すシーケンス図である。
【図１８】図１８は、遊技媒体貸出装置および各台計数装置の外観図である。
【発明を実施するための形態】
【００３２】
以下に添付図面を参照して、本発明に係る持玉分割手法の好適な実施例を詳細に説明する。なお、以下では、本発明に係る持玉分割手法の概要について図１を用いて説明した後に、本発明に係る持玉分割手法を適用した各台計数システムについての実施例１および２を図２〜図１４を用いて説明することとする。
【００３３】
従来の遊技台では、遊技者が獲得した持玉を玉計数部で計数を行った後、持玉数として保持／管理することで、持玉自体を保持しない。そのため、遊技者間での持玉の受け渡しを容易に行うことができない。
【００３４】
そこで、今回の本発明に係る持玉分割手法では、遊技台に併設する台間装置および管理装置で、遊技者の持玉を分割して管理することによって、容易に他の遊技者と共有させる機能を備えた点に主たる特徴がある。
【００３５】
図１は、本発明に係る持玉分割手法の概要を示す図である。同図に示すように、遊技台Ａおよび遊技台Ｂにはそれぞれ、台間装置Ａおよび台間装置Ｂが併設されている。遊技者が、遊技台Ａで獲得した持玉を他の遊技者に受け渡す場合について説明する。
【００３６】
近年、唯一の識別子をもつＦｅｌｉＣａ（登録商標）と呼ばれる、ＩＣ（Integrated  Circuit）チップを内蔵した携帯電話端末（以下、「おサイフケータイ（登録商標）」と記載する）が知られているが、他の遊技者が該おサイフケータイ（登録商標）を所有しているものとして説明を行う。
【００３７】
たとえば、遊技者が遊技台Ａに併設する台間装置Ａに設けられた持玉分割要求ボタンを押下することによって、持玉数の分割要求操作をする（同図の（１）参照）と同時に、分割玉数を入力する。
【００３８】
台間装置Ａに設けられた携帯読取部に、上述したおサイフケータイ（登録商標）機能を持つ携帯電話Ａをかざすと（同図の（２）参照）、台間装置Ａでは、おサイフケータイ（登録商標）に設けられたＩＤｍと呼ばれる識別子を読み取る。
【００３９】
そして、台間装置Ａは、分割要求時に入力した分割玉数および読み取った識別子を管理装置に送信することによって、分割要求を行い（同図の（３）参照）、台間装置Ａの持玉数から分割玉数を減算する（同図の（４）参照）。一方、管理装置では、識別子と分割玉数とを対応付けて管理する。
【００４０】
その後、他の遊技者が台間装置Ｂで遊技をする際、台間装置Ｂに設けられた携帯読取部に、携帯電話Ａをかざすと（同図の（５）参照）、台間装置Ｂでは、携帯電話Ａの識別子を読み取り、読み取った識別子を管理装置に送信することによって、持玉数の問合せを行う（同図の（６）参照）。
【００４１】
問合せを受けた管理装置では、受信した識別子と対応付けられた分割玉数を台間装置Ｂで遊技を行う遊技者の持玉数として、台間装置Ｂへ通知し、台間装置Ｂは、通知された持玉数を表示し（同図の（７）参照）、表示した持玉数に基づいて遊技玉の払出をすることで、他の遊技者は遊技台Ｂでの遊技をすることができる。
【００４２】
このように、本発明に係る持玉分割手法では、最近では普及率の非常に高い携帯電話を利用し、容易に遊技者間で持玉の受け渡しができることによって、遊技店はサービス向上を図ることができるとともに、遊技台の稼働率を上げることができる。
【００４３】
以下に添付図面を参照して、本発明に係る持玉分割手法を適用した各台計数システムについての実施例を詳細に説明する。なお、以下では、まず、実施例１に係る各台計数システムについて説明する。
【実施例１】
【００４４】
図２は、実施例１に係る各台計数システムの構成を示すブロック図である。ここで、台間装置１０の概要構成を説明するために、図３を用いて台間装置１０の外観について説明しておく。図３は、台間装置１０の外観図である。なお、同図には、台間装置１０が併設されたパチンコ機３０を破線で示している。
【００４５】
図３に示すように、台間装置１０は、自装置に対応するパチンコ機３０が特賞状態である時等に表示する状態表示部２１と、遊技玉の払出のための各種紙幣を受け付ける紙幣挿入部２２とを備えている。
【００４６】
また、台間装置１０は、従業員が携帯するリモコン（携帯端末装置）からの指示を受け付けるリモコン受光部２３と、持玉分割要求操作を行ったり、分割玉数を入力したり、持玉数を表示する操作部／表示部２４とを備えている。
【００４７】
さらに、遊技玉を払出す際に、遊技玉を払い出すノズルを備えた持玉払出部２５と、計数値が記憶されたり、プリペイド価値が関連付けられたりしたカード（以下、単に「カード」と記載する）を受け付けるカード挿入部２６とを備えている。カード挿入部２６の内部には、複数枚のカードが収納されており、出入口に近いカードから順に１枚ずつ処理（情報の読み書きや搬送）される。
【００４８】
そして、おサイフケータイ（登録商標）の識別子を読み取る携帯読取部１２と、遊技者が獲得した玉（以下、「持玉」と記載する）を計数する玉計数部２７と、持玉を貯留する玉貯留部２８とを備えている。
【００４９】
また、玉貯留部２８の前面には、持玉の計数結果等を表示する計数表示部２９を備えている。台間装置１０は、同図に示すパチンコ機３０の下皿３１から持玉を玉貯留部２８へ誘導し、玉計数部２７で持玉の数量を計数する。なお、計数後の遊技玉は、図示しない遊技玉回収経路へ排出される。
【００５０】
そして、台間装置１０は、操作部／表示部２４に設けられる図示しない持玉払出ボタンが押下された場合には、持玉数から払出数を減算して、ノズルを備えた持玉払出部２５経由でパチンコ機３０へ遊技玉を投出する。
【００５１】
また、パチンコ機３０の図示しない上皿部分には、台間装置１０の制御部１６と電気的に接続されている玉貸ボタンが設けられており、この玉貸ボタンが押下された場合は、紙幣挿入部２２へ挿入された各種紙幣の残額あるいはカード挿入部２６に挿入されたカードに関連付けられたプリペイド価値の残額を減算し、遊技玉をパチンコ機３０へ投出する。
【００５２】
図２の説明に戻り、台間装置１０の構成について説明する。台間装置１０は、操作部１１と、携帯読取部１２と、通信Ｉ／Ｆ（インターフェース）１３と、表示部１４と、記憶部１５と、制御部１６とを備えている。
【００５３】
また、操作部１１は、持玉分割ボタン１１ａと、分割玉数入力部１１ｂとをさらに備えており、制御部１６は、分割受付部１６ａと、分割要求部１６ｂと、分割処理部１６ｃと、持玉数問合せ部１６ｄとをさらに備えている。
【００５４】
そして、記憶部１５は、持玉数１５ａを記憶する。なお、図２では、図３で説明した各構成要素の中から台間装置１０の特徴点を説明するために必要な構成要素のみを抜粋して示している。
【００５５】
持玉分割ボタン１１ａは、持玉分割指示操作を行うボタンであり、たとえば、遊技者が獲得した持玉を、他の遊技者に受け渡す際に、持玉分割ボタン１１ａを押下することにより、操作部１１は、分割受付部１６ａへ持玉分割指示を通知する。
【００５６】
分割玉数入力部１１ｂは、制御部１６が持玉分割処理を行う際に、遊技者が指定する分割玉数を入力する操作部であり、たとえば、テンキー等で構成され、遊技者が数値を入力することによって、分割玉数を指定することができる。
【００５７】
携帯読取部１２は、おサイフケータイ（登録商標）に内蔵されたＦｅｌｉＣａ（登録商標）と呼ばれる、ＩＣ（Integrated  Circuit）チップに設けられた識別子を無線通信によって読み取る読取部である。
【００５８】
通信Ｉ／Ｆ１３は、ＬＡＮカード等の通信デバイスで構成され、ＬＡＮ等のネットワーク経由で、たとえば、分割玉数および携帯読取部１２で読み取った識別子を台間装置１０から管理装置へ送信する等、台間装置１０と管理装置との間のデータ送受信を行う。
【００５９】
表示部１４は、紙幣挿入部２２へ挿入された各種紙幣の残額、カード挿入部２６に挿入されたカードに関連付けられたプリペイド価値の残額、および、持玉数等を表示し、遊技玉を払出す際に、減算されたりした場合に最新の数値を再表示する。
【００６０】
記憶部１５は、不揮発性メモリやハードディスクドライブといった記憶デバイスで構成される記憶部であり、遊技者が獲得した持玉を、玉計数部２７で計数して、計数した持玉数１５ａを記憶する。
【００６１】
分割受付部１６ａは、持玉分割ボタン１１ａが押下された場合に、操作部１１から通知された持玉分割指示を受け付けたり、分割玉数入力部１１ｂで入力された分割玉数を受け付けたり、携帯読取部１２で読み取られたおサイフケータイ（登録商標）の識別子を受け付けたりする処理を行う処理部である。
【００６２】
また、分割受付部１６ａは、分割玉数を受け付けた際、分割玉数が記憶部１５に記憶された持玉数１５ａを超えているか否かの判定を行い、分割玉数が持玉数１５ａを超えていた場合に、表示部１４等に持玉分割が出来ない旨を通知する処理を併せて行う。
【００６３】
さらに、分割受付部１６ａは、分割玉数およびおサイフケータイ（登録商標）の識別子を、分割要求部１６ｂおよび分割処理部１６ｃへ渡す処理を併せて行う。
【００６４】
分割要求部１６ｂは、分割受付部１６ａから受け取った分割玉数およびおサイフケータイ（登録商標）の識別子を、通信Ｉ／Ｆ１３を介して管理装置に送信することで、持玉分割要求を行う処理を行う処理部である。
【００６５】
分割処理部１６ｃは、持玉数１５ａから分割受付部１６ａから受け取った分割玉数を減算し、持玉分割した後の持玉数１５ａを算出するとともに、表示部１４に最新の数値を通知する処理を行う処理部である。
【００６６】
持玉数問合せ部１６ｄは、携帯読取部１２で読み取られたおサイフケータイ（登録商標）の識別子を受け付けた際、当該識別子に対応付けられた持玉数を通信Ｉ／Ｆ１３を介して管理装置に問合せを行う処理を行う処理部である。
【００６７】
また、持玉数問合せ部１６ｄは、管理装置に問合せた際に管理装置から通知された持玉数を記憶部１５の持玉数１５ａに記憶して、表示部１４も管理装置から通知された持玉数を通知する処理を併せて行う。
【００６８】
つづいて、実施例１にかかる遊技店の店内システムのシステム構成について図４を用いて説明する。図４は、実施例１にかかる店内システムのシステム構成図である。
【００６９】
同図に示すように、遊技店に設置された管理装置４０には、ＬＡＮ（Local  Area  Network）等のネットワーク経由で、島コントローラ５０と、精算機６０と、景品管理装置７０と、会員カード端末機８０と、会員管理用ターミナルコントローラ（以下、「会員管理Ｔ／Ｃ」と記載する）９０とが接続されている。
【００７０】
また、島コントローラ５０には、台間装置１０と、パチンコ機３０とが接続されている。なお、同図には、１台の島コントローラ５０のみを示しているが、管理装置４０には所定数の島コントローラ５０が接続されるものとする。
【００７１】
台間装置１０は、島コントローラ５０と各パチンコ機３０との間に介在し、ひとつの島コントローラ５０に対して、所定数の台間装置１０が接続されるものとする。パチンコ機３０は、パチンコ玉を遊技領域に発射して遊技者がパチンコ遊技を行う装置である。
【００７２】
管理装置４０は、持玉分割情報４０ａおよび持玉管理情報４０ｂを備え、データベース等の記憶装置に記憶して、分割玉数および持玉数の管理をしている。島コントローラ５０は、周囲を通路に囲まれたスペース（遊技島）に設けられた一群のパチンコ機３０および台間装置１０を束ねる中継装置である。
【００７３】
精算機６０は、カードの残額が残っているカードが挿入されたら、残額に相当する現金の払出を行い、カードの精算を行う。
【００７４】
景品管理装置７０は、遊技店内の景品交換カウンタに配設された景品交換用の端末装置であり、図示しない交換玉数管理情報を用いて持玉を含む獲得玉と景品との交換を管理する。この交換玉数管理情報は、景品ごとにその景品との交換に要する交換玉数を対応付けて記憶している。
【００７５】
また、遊技者は、景品交換カウンタへカードを持参し、景品管理装置７０に併設された会員カード端末機８０にカードをかざしたり挿入したりすることで、計数値に応じた景品を受け取ることができる。その際、景品交換カウンタ内の従業員が、遊技者により指定された景品に対応する交換ボタンを押下し、景品管理装置７０は、当該景品に相当する交換玉数を獲得玉から減算する交換制御を実行させ、その後に従業員による手作業で遊技者に受け渡す。
【００７６】
会員管理Ｔ／Ｃ９０は、会員に登録した遊技者に会員カードを発行し、発行するカードに記憶される図示しない会員管理情報を用いて遊技店に登録された会員の統括管理を行う管理装置である。この会員管理情報は、会員番号に対応付けてプリペイド価値の残額や持玉数等を記憶している。
【００７７】
このように、遊技店には、会員をはじめ遊技者に対してサービスを提供するシステムとして、会員カードを取り扱う店内機器（たとえば、台間装置１０や景品管理装置７０等）とこれらの店内機器を管理する会員管理Ｔ／Ｃ９０とを含んで構成される会員管理システム、そして、カードを取り扱う店内機器（たとえば、台間装置１０や精算機６０等）を含んで構成されるカードシステム、さらには、遊技台の台データを取り扱う店内機器（たとえば、台間装置１０やパチンコ機３０等）を含んで構成されるシステムが併存している。
【００７８】
つぎに、管理装置４０に備える持玉分割情報４０ａの一例について図５を用いて説明する。図５は、持玉分割情報４０ａの一例を示す図である。同図に示すように、持玉分割情報４０ａは、「携帯識別子」項目と携帯識別子に対応する「分割玉数」項目とを含んでいる。
【００７９】
たとえば、遊技者が獲得した持玉を、持玉分割指示操作によって分割する場合、分割玉数入力部１１ｂから分割玉数３０００個を入力した後、受け渡してもらう他の遊技者の所有するおサイフケータイ（登録商標）を台間装置１０の携帯読取部１２にかざし、当該携帯端末の識別子（ここでは「１１１」とする）を読み取る。
【００８０】
すると、分割要求部１６ｂは、携帯読取部１２で読み取った識別子「１１１」および入力された分割玉数（３０００個）を、通信Ｉ／Ｆ１３を介して管理装置４０に送信する。
【００８１】
管理装置４０では、受信した識別子「１１１」を「携帯識別子」として、「携帯識別子」に対応付けて「分割玉数（３０００個）」とともに記憶する。これにより、どの携帯端末に対応して、何玉分割されているかを管理することができる。
【００８２】
つづいて、管理装置４０に備える持玉管理情報４０ｂの一例について図６を用いて説明する。図６は、持玉管理情報４０ｂの一例を示す図である。同図に示すように、持玉管理情報４０ｂは、「台間装置識別子」項目と台間装置識別子に対応する「持玉数」項目とを含んでいる。
【００８３】
持玉管理情報４０ｂは、台間装置１０毎に設けられた識別子（以下、「台間装置識別子」と記載する）と、台間装置識別子に対応付けて、台間装置１０で遊技する遊技者の獲得した持玉数とを記憶している。
【００８４】
たとえば、同図上部（Ａ）に示すように、台間装置識別子が「１００１」である台間装置１０で遊技中の遊技者が獲得した持玉を玉計数部２７で計数した持玉数が５０００個であった場合に、持玉管理情報４０ｂには「１００１：５０００個」と記憶しておく。
【００８５】
そして、管理装置４０では、遊技者が当該台間装置で、持玉数に基づいて遊技玉を払出して遊技（以下、「持玉遊技」と記載する）を行う際、持玉管理情報４０ｂの持玉数を減算し、最新の持玉数を管理することができる。
【００８６】
また、台間装置識別子が「１０００」である台間装置１０で、持玉分割された遊技玉によって遊技をする際には、おサイフケータイ（登録商標）を該台間装置１０の携帯読取部１２にかざし、識別子（ここでは「１１１」とする）を読み取る。
【００８７】
そして、持玉数問合せ部１６ｄは、読み取ったおサイフケータイ（登録商標）の識別子「１１１」を台間装置１０の識別子「１０００」とともに、通信Ｉ／Ｆ１３を介して管理装置４０に送信することによって、識別子「１１１」に対応付けられた分割玉数の問い合わせを管理装置４０に対して行う。
【００８８】
一方、管理装置４０は、分割玉数の問い合わせを受けた際に、まず、受信したおサイフケータイ（登録商標）の識別子「１１１」が、持玉分割情報４０ａの「携帯識別子」に存在するか否かを検索する。
【００８９】
管理装置４０は、識別子「１１１」が持玉分割情報４０ａに存在した場合には、「携帯識別子」「１１１」に対応付けられた分割玉数（３０００個）を持玉数としたうえで、受信した台間装置の識別子「１０００」に対応付けて、同図（Ｂ）に示すように、持玉管理情報４０ｂに移行する。
【００９０】
持玉管理情報４０ｂへ移行した後、管理装置４０は、台間装置識別子「１０００」の遊技台で持玉遊技を行う際、３０００個の移行された持玉数から遊技玉を貸し出し、持玉管理情報４０ｂの持玉数を減算し、最新の持玉数を管理する。
【００９１】
つぎに、台間装置Ａ１０ａおよび管理装置４０が実行する持玉分割処理手順について図７を用いて説明する。図７は、実施例１にかかる持玉分割処理手順を示すシーケンス図である。
【００９２】
同図に示すように、台間装置Ａ１０ａでは、持玉分割ボタン１１ａが押下されたら（ステップＳ１０１）、分割玉数を指定する旨を遊技者に通知し、遊技者は分割玉数を分割玉数入力部１１ｂから入力する（ステップＳ１０２）。
【００９３】
台間装置Ａ１０ａは、持玉数１５ａが入力された分割玉数を超えていなかった場合、おサイフケータイ（登録商標）をかざす旨を遊技者に通知し、遊技者は自身の保有するおサイフケータイ（登録商標）を、携帯読取部１２にかざす（ステップＳ１０３）。
【００９４】
すると、台間装置Ａ１０ａは、入力された分割玉数と読み取ったおサイフケータイ（登録商標）の識別子と台間装置識別子とを管理装置４０に送信することによって、持玉分割要求を行う（ステップＳ１０４）。なお、台間装置Ａ１０ａには、持玉数以外にプリペイド価値が保有されている場合もあるが、ここでは持玉数のみが分割要求されるものとする。
【００９５】
一方、持玉分割要求を受けた管理装置４０では、受信した台間装置識別子と一致する持玉管理情報４０ｂの台間装置識別子に対応する持玉数から、受信した分割玉数を減算する（ステップＳ１０５）。
【００９６】
さらに、管理装置４０では、受信したおサイフケータイ（登録商標）の識別子を携帯識別子として、携帯識別子と受信した分割玉数を持玉分割情報４０ａに登録する（ステップＳ１０６）。
【００９７】
また、台間装置Ａ１０ａの分割処理部１６ｃでは、記憶部１５に記憶されている持玉数１５ａから、入力された分割玉数を減算して（ステップＳ１０７）、減算された持玉数の最新の数値を表示部１４に再表示する。
【００９８】
つづいて、台間装置Ｂ１０ｂおよび管理装置４０が実行する問合せ処理手順について図８を用いて説明する。図８は、実施例１にかかる問合せ処理手順を示すシーケンス図である。
【００９９】
遊技者は、持玉分割処理によって分割された分割玉数によって、台間装置Ｂ１０ｂに併設されたパチンコ機で遊技をする際、自身の保有するおサイフケータイ（登録商標）を、携帯読取部１２にかざす（ステップＳ２０１）。
【０１００】
すると、台間装置Ｂ１０ｂでは、読み取ったおサイフケータイ（登録商標）の識別子と台間装置識別子とを管理装置４０に送信することによって、持玉数の問合せを行う（ステップＳ２０２）。
【０１０１】
一方、持玉数の問合せを受けた管理装置４０では、受信したおサイフケータイ（登録商標）の識別子と一致する持玉分割情報４０ａの携帯識別子に対応付けられた分割玉数を持玉数としたうえで、受信した台間装置識別子とともに持玉管理情報４０ｂに移行する（ステップＳ２０３）。
【０１０２】
そして、管理装置４０は、受信した台間装置識別子に対応付けられた持玉管理情報４０ｂの持玉数を台間装置Ｂ１０ｂに通知し（ステップＳ２０４）、台間装置Ｂ１０ｂでは、通知された持玉数を表示部１４に表示する（ステップＳ２０５）。
【０１０３】
つぎに、台間装置Ｃ１０ｃおよび管理装置４０が実行する持玉分割返却処理手順について図９および図１０を用いて説明する。図９は、返却予定情報の一例を示す図である。また、図１０は、持玉管理情報４０ｂの一例を示す図である。
【０１０４】
図９に示すように、返却予定情報は、「識別子」項目と、該識別子の携帯またはカードかの区分を表わす「携帯／カード」項目と、識別子に対応する「分割玉数」項目と、持玉分割元の遊技者が所有するカードの識別子である「カード識別子」とを含んでいる。
【０１０５】
たとえば、遊技者から獲得した持玉を、持玉分割指示操作によって分割する場合、携帯読取部１２が、持玉を受け渡してもらった他の遊技者の所有するおサイフケータイ（登録商標）の識別子「１１１」を読み取る。
【０１０６】
そして、他の遊技者が持玉を獲得した際に、分割元の遊技者に過不足なく分割玉数を返却することができるように、以下の処理を行う。管理装置４０では、返却予定情報に「識別子（１１１）」に対応付けて「分割玉数（３０００個）」および分割元の遊技者の所有するカードの「カード識別子（７７７７７）」を記憶しておく。
【０１０７】
その後、他の遊技者が分割玉数（３０００個）以上の持玉を獲得した際に、「カード識別子（７７７７７）」のカードを所有する遊技者、すなわち、分割元の遊技者へ、持玉分割された遊技玉の返却を、以下のようにして行う。
【０１０８】
図１０に示すように、持玉管理情報４０ｂは、「台間装置識別子」項目と、台間装置識別子に対応する「持玉数」項目と、該台間装置識別子を持つ台間装置に併設されたパチンコ機で遊技する遊技者の所有するカードの「カード識別子」とを含んでいる。
【０１０９】
同図上部（Ａ）に示すように、持玉管理情報４０ｂには、「カード識別子（７７７７７）」のカードを所有する分割元の遊技者が、「台間装置識別子（２０００）」に併設されたパチンコ機で、持玉数が７０００個の状態で遊技をしている状態が登録されている。
【０１１０】
そこで、持玉分割をした遊技者から持玉分割した遊技玉が３０００個返却されると、管理装置４０では、持玉管理情報４０ｂの「持玉数」を、同図下部（Ｂ）に示すように、持玉数７０００個に返却玉数を加算した１００００個を、「持玉数」として管理する。
【０１１１】
このように、持玉分割処理をする際に、遊技者が保有する持玉を受け渡される他の遊技者の保有するおサイフケータイ（登録商標）を利用することで、持玉を容易に他の遊技者と共有させるとともに、他の遊技者が分割された遊技玉によって遊技することで、遊技台の稼働率を上げることができる。
【実施例２】
【０１１２】
ところで、これまで本発明の実施例について説明してきたが、本発明は上記した実施例以外にも、種々の異なる形態にて実施されてよいものである。実施例１においては、持玉分割処理をする際に、おサイフケータイ（登録商標）の識別子を持玉分割情報４０ａに登録する手法を説明した。
【０１１３】
しかしながら、本発明はこれに限られるものではない。そこで、以下では、カードを利用して、持玉分割処理を行う場合の変形例について、図１１〜図１４を用いて説明する。
【０１１４】
まず、台間装置１０の構成について図１１を用いて説明する。図１１は、実施例２に係る各台計数システムの構成を示すブロック図である。同図に示すように、実施例２に係る台間装置１０ｃは、カード保持部１７で保持する情報記憶が可能なカードに設けられた識別子に基づいて持玉分割処理が行われる点で図２に示した台間装置１０とは異なる。
【０１１５】
また、持玉分割処理によって分割された分割玉数によって、台間装置Ｂ１０ｂに併設されたパチンコ機で遊技をする際、持玉分割処理の際に、排出されたカードをカード挿入部２６に挿入して、持玉数の問合せを行う。
【０１１６】
つぎに、実施例２に係る管理装置４０に備える持玉分割情報４０ａの一例について図１２を用いて説明する。図１２は、持玉分割情報４０ａの一例を示す図である。同図に示すように、持玉分割情報４０ａは、「カード識別子」項目とカード識別子に対応する「分割玉数」項目とを含んでいる。
【０１１７】
たとえば、遊技者から獲得した持玉を、持玉分割指示操作によって分割する場合、台間装置１０ｃの分割玉数入力部１１ｂから分割玉数２０００個を入力した後、カード保持部１７で保持するカードの識別子「２２２２」を「カード識別子」とする。
【０１１８】
そして、管理装置４０では、「カード識別子」「２２２２」に対応付けて「分割玉数（２０００個）」とともに持玉分割情報４０ａに記憶することにより、分割玉数を管理する。
【０１１９】
つぎに、台間装置Ｄ１０ｄおよび管理装置４０が実行する持玉分割処理手順について図１３を用いて説明する。図１３は、実施例２にかかる持玉分割処理手順を示すシーケンス図である。
【０１２０】
同図に示すように、台間装置Ｄ１０ｄでは、持玉分割ボタン１１ａが押下されたら（ステップＳ３０１）、分割玉数を指定する旨を遊技者に通知し、遊技者は分割玉数を分割玉数入力部１１ｂから入力する（ステップＳ３０２）。
【０１２１】
台間装置Ｄ１０ｄは、持玉数１５ａが入力された分割玉数を超えていなかった場合、カード保持部１７で保持するカードの識別子を読み取り（ステップＳ３０３）、入力された分割玉数と読み取ったカードの識別子と台間装置識別子とを管理装置４０に送信することによって、持玉分割要求を行う（ステップＳ３０４）。なお、台間装置Ｄ１０ｄには、持玉数以外にプリペイド価値が保有されている場合もあるが、ここでは持玉数のみが分割要求されるものとする。
【０１２２】
一方、持玉分割要求を受けた管理装置４０では、受信した台間装置識別子と一致する持玉管理情報４０ｂの台間装置識別子に対応する持玉数から、受信した分割玉数を減算する（ステップＳ３０５）。
【０１２３】
さらに、管理装置４０では、受信したカードの識別子をカード識別子として、カード識別子と受信した分割玉数を持玉分割情報４０ａに登録する（ステップＳ３０６）。
【０１２４】
また、台間装置Ｄ１０ｄのカード保持部１７では、持玉分割情報４０ａに登録されたカード識別子を持つ持玉カードを排出し（ステップＳ３０７）、分割処理部１６ｃでは、記憶部１５に記憶されている持玉数１５ａから、入力された分割玉数を減算して（ステップＳ３０８）、減算された持玉数の最新の数値を表示部１４に再表示する。
【０１２５】
つづいて、台間装置Ｅ１０ｅおよび管理装置４０が実行する問合せ処理手順について図１４を用いて説明する。図１４は、実施例２にかかる問合せ処理手順を示すシーケンス図である。
【０１２６】
遊技者は、持玉分割処理によって分割された分割玉数によって、台間装置Ｅ１０ｅに併設されたパチンコ機で遊技をする際、持玉分割処理時に排出されたカードを挿入する（ステップＳ４０１）。
【０１２７】
すると、台間装置Ｅ１０ｅでは、挿入されたカードの識別子を読み込み、読み取ったカードの識別子と台間装置識別子とを管理装置４０に送信することによって、持玉数の問合せを行う（ステップＳ４０２）。
【０１２８】
一方、持玉数の問合せを受けた管理装置４０では、受信したカードの識別子と一致する持玉分割情報４０ａのカード識別子に対応付けられた分割玉数を持玉数としたうえで、受信した台間装置識別子とともに持玉管理情報４０ｂに移行する（ステップＳ４０３）。
【０１２９】
そして、管理装置４０は、受信した台間装置識別子に対応付けられた持玉管理情報４０ｂの持玉数を台間装置Ｅ１０ｅに通知し（ステップＳ４０４）、台間装置Ｅ１０ｅでは、通知された持玉数を表示部１４に表示する（ステップＳ４０５）。
【実施例３】
【０１３０】
ところで、これまで本発明の実施例について説明してきたが、本発明は上記した実施例以外にも、種々の異なる形態にて実施されてよいものである。実施例１および実施例２においては、台間装置１０が計数した持玉を分割して管理することによって、容易に他の遊技者と共有させる手法を説明した。
【０１３１】
しかしながら、本発明はこれに限られるものではない。そこで、以下では、貯玉サービスを利用して、分割処理を行う場合の変形例について、図１５〜図１７を用いて説明する。
【０１３２】
貯玉サービスとは、遊技店の会員が獲得した遊技媒体を遊技店に遊技媒体価値（以下、「貯玉」と記載する）として預け入れることができるサービスである。また、貯玉は貯玉管理情報として会員管理装置等で管理されている。そして、会員は、再来店時に貯玉によって遊技媒体を貸し出し、遊技を行う（以下、「再プレイ」と記載する）ことができる。
【０１３３】
実施例３にかかる遊技手法では、貯玉を有する遊技者の貯玉数を分割し、他の遊技者と遊技媒体を共有させることとした。実施例３にかかる遊技手法は、図４を用いて説明した店内システムのシステム構成に加え、管理装置４０には、会員の貯玉管理情報を管理する会員管理装置が接続される。なお、貯玉管理情報は、管理装置４０または管理装置４０に接続される他の管理装置で管理されてもよい。
【０１３４】
また、台間装置の構成については、操作部１１に、貯玉分割指示を行う貯玉分割ボタンをさらに備え、制御部１６には、挿入されたカードに基づいて貯玉管理情報を取得して、暗証番号によって会員の再プレイを認証する機能を持つ点で、図１１に示した台間装置１０ｃとは異なる。
【０１３５】
ここで、貯玉管理情報の詳細について、図１５を用いて説明する。図１５は、貯玉管理情報の一例を示す図である。同図に示すように、貯玉管理情報は、会員を識別する識別子である「会員識別子」項目と会員識別子に対応して「暗証番号」項目と「貯玉数」項目とを含んでいる。
【０１３６】
かかる会員は、会員識別子に対応する貯玉数が関連付けられた会員カード等の記録媒体を台間装置に挿入することによって、再プレイすることができる。台間装置では、会員カードが挿入されたならば、セキュリティ性を高めるため、会員によって入力される暗証番号と貯玉管理情報の暗証番号とを比較することによって会員カードの所有者本人であるかの確認を行う。なお、貯玉管理情報の会員識別子は、会員の所有する会員カードの識別子であってもよい。
【０１３７】
つづいて、実施例３にかかる遊技手法による貯玉分割処理手順について図１６および図１７を用いて説明する。図１６および図１７は、実施例３にかかる貯玉分割処理手順を示すシーケンス図である。
【０１３８】
同図に示すように、台間装置Ｆでは、会員カードが挿入されたら（ステップＳ５０１）、会員カードに関連付けられている会員識別子の読み取りを行い（ステップＳ５０２）、会員識別子を会員管理装置へ送信することによって貯玉管理情報を取得する。一方、会員管理装置は、台間装置Ｆから受信した会員識別子に対応する貯玉管理情報を台間装置Ｆへ送信する（ステップＳ５０３）。
【０１３９】
そして、台間装置Ｆでは、会員によって暗証番号が入力されたら（ステップＳ５０４）、会員カードの所有者本人であるかの確認を行う。ここでは、入力された暗証番号と会員管理装置から受信した暗証番号とが一致したとして、台間装置Ｆは、会員カードによる再プレイを認証する（ステップＳ５０５）。
【０１４０】
その後、台間装置Ｆでは、操作部１１に備える図示しない貯玉分割ボタンが押下されたら（ステップＳ５０６）、分割玉数を指定する旨を遊技者に通知し、遊技者は分割玉数を分割玉数入力部１１ｂから入力する（ステップＳ５０７）。
【０１４１】
台間装置Ｆは、ステップＳ５０２で読み取った会員カードの会員識別子と入力された分割玉数とを会員管理装置に送信することによって、貯玉分割要求を行う（ステップＳ５０８）。
【０１４２】
一方、貯玉分割要求を受け付けた会員管理装置では、受信した会員識別子と一致する貯玉管理情報の会員識別子に対応する貯玉数から、受信した分割玉数を減算し（ステップＳ５０９）、減算終了通知を台間装置Ｆへ送信する。ここでは、貯玉管理情報の貯玉数から分割玉数を減算することとしたが、再プレイ手数料に相当する玉数をさらに貯玉数から減算することとしてもよい。
【０１４３】
そして、減算終了通知を受信した台間装置Ｆは、会員カードを排出し（ステップＳ５１０）、カード保持部１７で保持するカードの識別子を読み取る（ステップＳ５１１）。その後、台間装置Ｆは、読み取ったカード識別子とステップＳ５０７で入力された分割玉数とを管理装置４０へ送信することによって、分割玉数の登録要求を行う。
【０１４４】
一方、分割玉数の登録要求を受け付けた管理装置４０は、受信したカード識別子と分割玉数とを持玉分割情報４０ａに登録し（ステップＳ５１３）、登録終了通知を台間装置Ｆへ送信する。
【０１４５】
そして、登録終了通知を受信した台間装置Ｆでは、持玉分割情報４０ａに登録されたカード識別子を持つ持玉カードを排出し（ステップＳ５１４）、実施例３にかかる貯玉分割処理を終了する。
【０１４６】
ステップＳ５１４で排出された持玉カードによって、台間装置Ｆおよび管理装置４０が実行する問合せ処理手順については、図１４の実施例２にかかる問合せ処理手順と同様であるので、ここでは説明を省略する。上述してきたように、実施例３にかかる遊技手法では、貯玉を有する遊技者の貯玉数を分割し、他の遊技者と遊技媒体を共有させることとした。
【０１４７】
なお、貯玉管理情報には、会員識別子に対応付けて貯玉数を記憶させ、台間装置Ｆでは、貯玉数が関連付けられた会員カードを持つ会員が貯玉分割する場合について説明した。しかし、貯玉管理情報に、おサイフケータイ（登録商標）の識別子に対応付けて貯玉数を記憶させ、台間装置Ｆでは、会員カードの替わりにおサイフケータイ（登録商標）を持つ会員が貯玉分割することとしてもよい。
【０１４８】
また、台間装置Ｆは、貯玉分割した分割玉数をカード保持部１７で保持するカードに関連付けることとしたが、貯玉分割した分割玉数を遊技者の所有するおサイフケータイ（登録商標）に関連付けることとしてもよい。
【０１４９】
また、遊技台に対応して設けられる台間装置によって、貯玉分割することとした。しかし、遊技島の島端に設けられるいわゆる再プレイ機によって貯玉分割することとしてもよい。
【０１５０】
上述してきたように、本実施例では、持玉分割処理や貯玉分割処理をする際に、台間装置が取り扱うＩＣ（Integrated  Circuit）カードやおサイフケータイ（登録商標）に設けられた識別子に基づいて、管理装置に備える持玉分割情報４０ａを管理することで、持玉を容易に他の遊技者と共有させることができる。
【０１５１】
なお、上記の実施例１〜３では、台間装置１０として、遊技媒体貸出装置と各台計数装置を一体化して構成する場合について説明したが、２つの装置（以下、「ダブルサンド」と記載する）として、台間装置１０の機能を分散して構成することもできる。ダブルサンドの装置構成を図１８を用いて説明する。図１８は、遊技媒体貸出装置および各台計数装置の外観図である。
【０１５２】
たとえば、同図に示すように、プリペイド残額に関する機能を有する遊技媒体貸出装置２００と、持玉に関する機能を有する各台計数装置３００とに分散して台間装置１０の機能を実現することもできる。
【０１５３】
なお、図１８では、図３と比較して同様の機能を発揮する部分については同一の符号を用いており、図３とは異なる機能をもつ部分についてのみ、ここでは説明することとする。なお、遊技媒体貸出装置２００と各台計数装置３００とはＬＡＮ等のネットワーク経由で通信可能に接続されているものとする。
【０１５４】
遊技媒体貸出装置２００は、会員カードあるいはプリペイドカードを受付けるカード挿入部２６ａと、挿入された各種紙幣の残額あるいはカード挿入部２６ａに挿入されたカードに関連付けられたプリペイド価値を用いて払出しを行う操作を行う玉貸ボタンや、カード返却の操作をしたり、紙幣およびカードの残額を表示する操作部／表示部２４ａとを備える。
【０１５５】
この遊技媒体貸出装置２００では、紙幣挿入部２２へ挿入された各種紙幣をプリペイド価値としてプリペイドカードまたは会員カードに関連付けたり、挿入された各種紙幣の残額あるいはカード挿入部２６ａに挿入されたプリペイドカードまたは会員カードに関連付けられたプリペイド価値の残額を用いて遊技玉の払出しを行う。
【０１５６】
なお、操作部／表示部２４ａに設けられた玉貸ボタンが押下された場合は、紙幣挿入部２２へ挿入された各種紙幣の残額あるいはカード挿入部２６に挿入されたカードに関連付けられたプリペイド価値の残額を減算し、遊技玉をパチンコ機３０へ投出する。
【０１５７】
一方、各台計数装置３００は、同装置の状態を表示する計数状態表示部２１ａと、持玉分割要求操作、分割玉数の入力、持玉を用いて払出の操作、および、持玉カード返却の操作を行ったり、持玉数を表示する持玉操作部／表示部２４ｂと、持玉カードを挿入したりあらかじめ内部に収納しておいた持玉カードを排出する持玉カード挿入部２６ｂとを備える。なお、持玉カード返却の操作を行うボタンは玉貯留部２８の前面に備えてもよい。
【０１５８】
また、各台計数装置３００では、パチンコ機３０の下皿３１から投入されるパチンコ玉を持玉として計数したり、持玉操作部／表示部２４ｂに備える持玉払出ボタンを押下することにより持玉の一部を払出す。
【０１５９】
その結果として各台計数装置３００は、払出数を減算した持玉数を持玉カードあるいはおサイフケータイ（登録商標）に関連付けたりする。なお、持玉払出時には、持玉払出部２５経由で持玉を投出する。
【０１６０】
さらに、各台計数装置３００では、持玉操作部／表示部２４ｂに備える持玉分割ボタンを押下することにより、持玉分割要求操作を行い、遊技者が獲得した持玉から、入力された分割玉数を、他の遊技者に受け渡す分割玉数処理を行う。
【０１６１】
なお、図１５に示したダブルサンド方式では、遊技媒体貸出装置２００と各台計数装置３００とをパチンコ機３０横に併設するようにしたが、各台計数装置３００を、パチンコ機３０下方に設けられる図示しないカウンタ（膳板）上に設けるタイプの計数装置に適用してもよい。なお、このタイプの計数装置と遊技媒体貸出装置２００とはＬＡＮ等のネットワーク経由で通信可能に接続されているものとする。
【０１６２】
なお、本発明請求項記載の各台装置は台間装置１０、管理装置は管理装置４０、分割指示受付手段は分割受付部１６ａ、記録情報読み取り手段は携帯読取部１２、保有遊技媒体分割手段は分割処理部１６ｃに相当するものである。
【０１６３】
なお、上述した実施例では、分割玉数入力部１１ｂで、持玉分割処理を行う際に、遊技者が指定する分割玉数を入力するようにしたが、表示部１４等に初期値を表示して、変更のあった場合だけ指定するようにしてもよく、この場合、遊技者への操作負担を少なくすることで、サービスの向上を図ることができる。
【０１６４】
また、上述した実施例では、分割玉数入力部１１ｂによって分割玉数を指定するようにしたが、表示部１４等に複数の分割玉数値を表示して、遊技者にいずれかを選択して、分割玉数を指定するようにしてもよい。
【０１６５】
また、上述した実施例では、持玉分割ボタン１１ａを押下することによって持玉分割指示をするようにしたが、従業員が携帯するリモコンから持玉分割指示を受け付けることとしてもよい。
【０１６６】
この場合、従業員が持玉分割指示に対応するリモコン上の所定のボタンを押下したならば、図３に示したリモコン受光部２３が持玉分割指示を受信し、その旨を分割受付部１６ａへ通知することになる。
【０１６７】
このように持玉の所有者が従業員に依頼して持玉分割を行うことで、たとえば、遊技者がカードを入れたまま席を離れた際にも、不審者等に勝手に持玉分割を行われることもなく、遊技者に対する安全性が確保することができる。
【０１６８】
また、上述した実施例では、分割玉数入力部１１ｂによって分割玉数を指定するようにしたが、従業員が携帯するリモコン（携帯端末装置）から分割玉数の指定を受け付けることとしてもよい。
【０１６９】
この場合、従業員が分割玉数をリモコン上で指定して、リモコン上の所定のボタンを押下したならば、図３に示したリモコン受光部２３が分割玉数を受信し、分割玉数を分割受付部１６ａへ通知することになる。
【０１７０】
また、上述した実施例では、遊技者が獲得した持玉を分割する際に、おサイフケータイ（登録商標）の識別子や台間装置１０に保持されている情報記憶が可能なカードの識別子を分割玉数と対応付けて持玉分割情報４０ａに記憶するようにした。
【０１７１】
しかし、会員に登録した遊技者に発行された会員カードを台間装置１０に挿入して、会員カードの識別子によって、持玉分割処理を行うようにしてもよく、この場合、会員カードを所有する他の遊技者に対して、従来所有のカードを利用することで、遊技者の利便性を高めるとともに持玉の共有をすることができる。
【０１７２】
また、上述した実施例では、遊技者が獲得した持玉を、一人の遊技者に対して受け渡しを行うような持玉分割処理手順の一例を示したが、たとえば、複数のおサイフケータイ（登録商標）をかざすことによって、複数の遊技者に対して同時に受け渡しを行うようにしてもよい。
【０１７３】
あるいは、複数の遊技者が所有する会員カードを含むカード等に、同一グループであるという識別、たとえば、グループ登録をするなどして、遊技者が獲得した持玉を、同じグループに登録されている複数の遊技者に対して一斉にかつ均等に持玉分割処理を行うようにしてもよく、この場合、さらに遊技台の稼働率を上げることができる。
【０１７４】
また、持玉分割処理は分割元の遊技者が獲得玉の計数中であっても可能である。その場合の操作手順を以下に説明する。遊技者あるいは従業員による持玉分割指示を受信すると、その時点での持玉を最大数として分割を行うことができるようにする。
【０１７５】
まだ計数中の場合には、表示部の持玉数はカウントアップをし続ける。上記の場合のデータの管理は分割可能持玉数とカウントアップ中の現在持玉数との２種類の持玉数を管理することとなる。なお、管理場所は、台間装置または管理装置のいずれでも構わない。
【０１７６】
また、上述した実施例では、台間装置１０で持玉分割処理を行うようにしたが、景品カウンタに設置されている、たとえば図４の景品管理装置７０で持玉分割処理をしてもよく、この場合、上述した複数の遊技者に対する持玉分割処理が容易に行うことができる。
【０１７７】
また、上述した実施例では、図９に示すような返却予定情報を使用して、分割玉数を一括して返却できるように持玉分割返却処理手順の一例を示したが、たとえば、受け渡された遊技者が獲得した持玉数が所定数になったら返却処理を行い、分割玉数に満たない場合には、数回に分けて返却処理を行うようにしてもよい。
【０１７８】
また、上述した実施例では、持玉分割情報の分割玉数を、管理装置４０の持玉分割情報４０ａによって管理するようにしたが、カードに分割玉数を記録してもよい。分割処理時には、台間装置１０側で管理する持玉数を分割玉数だけ減算し、おサイフケータイ（登録商標）やカードに減算玉数を記録する。
【０１７９】
遊技時には、おサイフケータイ（登録商標）やカードから読取られた減算玉数を台間装置１０が取得し、当該玉数に基づいて玉を払出す。この場合、管理装置４０の記憶容量および処理にかかる時間を軽減できたり、管理装置４０や通信経路の故障等が原因で管理装置４０との通信ができない場合にも運用を継続できる。なお、管理装置４０を用いない運用の場合には、分割玉数だけでなく、遊技者本人が遊技を終了する場合にも、持玉をおサイフケータイ（登録商標）やカードに記録して離席することになる。
【０１８０】
また、上述した実施例では、分割玉数を指定する際に、制限を設けていなかったが、指定できる分割玉数の上限を設けてもよく、この場合、たとえば、不審者等に勝手に持玉分割処理が行われてしまった場合に、被害の拡大を防止するとともに盗難等の抑制をすることができる。
【０１８１】
また、上述した実施例では、盗難対策に関して、特に明記していなかったが、遊技者が離席時、台間装置１０に設けられた離席ボタン押下等の操作をすることによって、持玉分割処理をロックさせるようにしてもよく、この場合、遊技者に対する安全性が確保することができる。
【０１８２】
また、近年遊技店においては、交換レートが異なる複数の遊技台コーナーを設けるケースが増加してきている。たとえば、パチンコ玉を１玉４円で払出す４円遊技台コーナーとパチンコ玉を１玉１円で払出す１円遊技台コーナーとを併設する遊技店も見受けられる。
【０１８３】
そこで、上述した実施例では、同一レートで運用している遊技店での持玉分割処理の一例を示したが、複数のレート運用されている場合には、持玉分割処理時に、分割玉数とともにレートに関する情報を持玉分割情報４０ａおよび持玉管理情報４０ｂに関連付けるようにしてもよい。
【０１８４】
この場合、たとえば、４円遊技台コーナーで獲得した持玉を、分割処理をして、持玉分割処理によって分割された分割玉数によって、１円遊技台コーナーのパチンコ機で遊技をする際にも、分割玉数を４円から１円に換算することができることにより、さらに遊技台の稼働率を上げることができる。
【０１８５】
また、上述した実施例では、パチンコ遊技に適用する例を説明したが、パチスロ遊技を対象としてさらに含めた場合又はパチスロ遊技のみを対象とした場合にも同様に適用することができる。なお、ここでは、パチンコ店に本発明を適用する例を説明したが、本発明はこれに限定されるものではなく、ゲームセンタ等の遊技施設にも同様に適用することができる。
【産業上の利用可能性】
【０１８６】
以上のように、本発明に係る台間装置は、遊技台において遊技者が獲得したパチンコ玉やメダルといった遊技媒体の数量を各台間装置と接続された玉計数部が計数する台間装置に有用であり、特に、遊技者が保有する持玉を容易に他の遊技者と共有させたい場合に適している。
【符号の説明】
【０１８７】
１０    台間装置
１１    操作部
１１ａ  持玉分割ボタン
１１ｂ  分割玉数入力部
１２    携帯読取部
１３    通信Ｉ／Ｆ
１４    表示部
１５    記憶部
１５ａ  持玉数
１６    制御部
１６ａ  分割受付部
１６ｂ  分割要求部
１６ｃ  分割処理部
１６ｄ  持玉数問合せ部
２１    状態表示部
２２    紙幣挿入部
２３    リモコン受光部
２４    操作部／表示部
２５    持玉払出部
２６    カード挿入部
２７    玉計数部
２８    玉貯留部
２９    計数表示部
３０    パチンコ機
３１    下皿
４０    管理装置
４０ａ  持玉分割情報
４０ｂ  持玉管理情報
５０    島コントローラ
６０    精算機
７０    景品管理装置
８０    会員カード端末機
９０    会員管理Ｔ／Ｃ
２００  遊技媒体貸出装置
３００  各台計数装置
２１ａ  計数状態表示部
２４ａ  操作部／表示部
２４ｂ  持玉操作部／表示部
２６ａ  カード挿入部
２６ｂ  持玉カード挿入部
【図１】
2010227556.tif 000003
【図２】
2010227556.tif 000004
【図３】
2010227556.tif 000005
【図４】
2010227556.tif 000006
【図５】
2010227556.tif 000007
【図６】
2010227556.tif 000008
【図７】
2010227556.tif 000009
【図８】
2010227556.tif 000010
【図９】
2010227556.tif 000011
【図１０】
2010227556.tif 000012
【図１１】
2010227556.tif 000013
【図１２】
2010227556.tif 000014
【図１３】
2010227556.tif 000015
【図１４】
2010227556.tif 000016
【図１５】
2010227556.tif 000017
【図１６】
2010227556.tif 000018
【図１７】
2010227556.tif 000019
【図１８】
2010227556.tif 000020